(57)【要約】【課題】他の台の大当たり発生状態に拘わらず常に高い電飾効果が得られる弾球遊技機の連動表示装置を提供する。【解決手段】島設備に設けた制御ユニット２に対して複数台のパチンコ機１から遊技状態情報信号Ｓ１が出力されると共に、制御ユニット２から各パチンコ機１に対して消灯信号Ｓ２と遅延信号Ｓ３とが選択的に出力される構成とし、任意のパチンコ機１が大当たり遊技状態になったとき、それ以外のパチンコ機１に消灯信号Ｓ２を出力することにより、これらパチンコ機１に備えられるガラス枠６の発光ランプ９が一斉に消灯するようにした。また、消灯制御中のパチンコ機１に大当たりが発生した場合、そのパチンコ機１に図柄変動表示部１２の変動停止時間を消灯時間Ｔだけ延長させる遅延信号Ｓ３を出力することにより、２台以上のパチンコ機１に続けざまに大当たりが発生した場合でも、それぞれの大当たりに伴うガラス枠６の消灯動作が独立して行われるようにした。【選択図】図５
2009254621.tif 000002
【特許請求の範囲】
【請求項１】
弾球遊技機が少なくともガラス枠に設けられた電飾表示部と遊技盤に設けられた図柄変動表示部とを有し、遊技場の島設備に横並びに配置された複数台の前記弾球遊技機に対して大当たり遊技状態を報知可能な弾球遊技機の連動表示装置において、
前記図柄変動表示部の図柄変動表示時間と前記電飾表示部の動作状態を制御可能な表示制御手段を備え、
任意の弾球遊技機が大当たり遊技状態となったとき、前記表示制御手段は、それ以外の弾球遊技機の前記電飾表示部を所定時間だけ消灯させると共に、この消灯動作の終了前に消灯中の弾球遊技機に大当たりが発生した場合に、当該弾球遊技機の前記図柄変動表示部の図柄変動表示時間を消灯時間に相当する分だけ延長してから変動停止させることを特徴とする弾球遊技機の連動表示装置。
【請求項２】
請求項１の記載において、前記表示制御手段が前記島設備に設置された制御ユニットを有し、この制御ユニットに対して各弾球遊技機から遊技状態情報信号が出力されると共に、前記制御ユニットから各弾球遊技機に対して電飾表示部の制御信号と図柄変動表示部の遅延信号とが選択的に出力されることを特徴とする弾球遊技機の連動表示装置。
【発明の詳細な説明】
【技術分野】
【０００１】
本発明は、遊技場の島設備に複数台が横並びに配置される弾球遊技機において、任意の弾球遊技機が大当たり遊技状態となったことを他の遊技者や遊技場の店員等に視覚的に報知する連動表示装置に関するものである。
【背景技術】
【０００２】
一般的に、パチンコ機に代表される弾球遊技機は遊技場の島設備に複数台を横並びにした状態で配置され、複数の遊技者が同時に遊技を行えるようになっている。このような島設備において、従来より、各弾球遊技機の上方に電飾表示を行う表示器をそれぞれ配設し、１台の弾球遊技機が大当たり遊技状態となったときに、全ての表示器を連動させて電飾表示するようにした連動表示装置が知られている（例えば、特許文献１参照）。
【０００３】
かかる従来の連動表示装置は、各弾球遊技機の遊技状態情報を収集すると共に各表示器の電飾部を駆動制御する駆動制御手段を備えており、任意の弾球遊技機が大当たり遊技状態になると、駆動制御手段が各表示器を予め設定された複数種類の連動パターンに基づいて電飾表示するため、ある弾球遊技機に大当たりが発生したことを広範囲に亘って視覚的に報知できると共に、その電飾効果によって大当たりを獲得した遊技者が感じる優越感の満足度を向上させることができる。
【特許文献１】特開２００２−２００３２０号公報
【発明の開示】
【発明が解決しようとする課題】
【０００４】
しかしながら、前述した従来の連動表示装置では、島設備に横並びに配置された複数台の弾球遊技機のうち、２台以上の弾球遊技機に続けざまに大当たりが発生した場合、最初の大当たり発生時に行われる電飾表示が終了する前に、すなわち各表示器がある連動パターンに基づいて電飾表示している最中に、２回目以降の大当たり発生時に行われる電飾表示が同じ連動パターンで繰り返されることになる。そのため、このように２台以上の弾球遊技機に続けざまに大当たりが発生した場合は、最初に大当たりを獲得した遊技者の優越感が減じられるだけでなく、２回目以降に大当たりを獲得した遊技者にとっては優越感をほとんど感じられないという問題があった。
【０００５】
本発明は、このような従来技術の実情に鑑みてなされたもので、その目的は、他の台の大当たり発生状態に拘わらず常に高い電飾効果が得られる弾球遊技機の連動表示装置を提供することにある。
【課題を解決するための手段】
【０００６】
上記の目的を達成するために、本発明は、弾球遊技機が少なくともガラス枠に設けられた電飾表示部と遊技盤に設けられた図柄変動表示部とを有し、遊技場の島設備に横並びに配置された複数台の前記弾球遊技機に対して大当たり遊技状態を報知可能な弾球遊技機の連動表示装置において、前記図柄変動表示部の図柄変動表示時間と前記電飾表示部の動作状態を制御可能な表示制御手段を備え、任意の弾球遊技機が大当たり遊技状態となったとき、前記表示制御手段は、それ以外の弾球遊技機の前記電飾表示部を所定時間だけ消灯させると共に、この消灯動作の終了前に消灯中の弾球遊技機に大当たりが発生した場合に、当該弾球遊技機の前記図柄変動表示部の図柄変動表示時間を消灯時間に相当する分だけ延長してから変動停止させるように構成した。
【０００７】
このように構成された弾球遊技機の連動表示装置によれば、島設備に横並びに配置された複数台の弾球遊技機のうち、任意台の弾球遊技機が大当たり遊技状態になると、それ以外の台の弾球遊技機に備えられるガラス枠の電飾表示部が一斉に所定時間だけ消灯するため、この消灯動作によって大当たりの発生を周囲に報知することができる。また、消灯動作中の弾球遊技機に大当たりが発生すると、その大当たりに伴う図柄変動表示部の変動停止時間に消灯時間が加算されるため、当該弾球遊技機が大当たり遊技状態となるのは先の大当たりに伴う消灯動作の終了後となる。したがって、２台以上の弾球遊技機に続けざまに大当たりが発生した場合でも、それぞれの大当たりに伴うガラス枠の消灯動作を互いに重なり合うことなく独立して行わせることができ、大当たりを獲得した遊技者の全員に満足度の高い優越感を付与することができる。
【０００８】
上記の構成において、表示制御手段が島設備に設置された制御ユニットを有し、この制御ユニッに対して各弾球遊技機から遊技状態情報信号が出力されると共に、制御ユニットから各弾球遊技機に対して電飾表示部の制御信号と図柄変動表示部の遅延信号とが選択的に出力されるようにすると、複数台の弾球遊技機と制御ユニットとの間に構築されたネットワークを介して、各弾球遊技機から大当たりの判定情報を収集すると共にガラス枠の消灯動作を実行することができて好ましい。
【発明の効果】
【０００９】
本発明による弾球遊技機の連動表示装置では、島設備に横並びに配置された複数台の弾球遊技機のうち、任意台の弾球遊技機が大当たり遊技状態になると、それ以外の台の弾球遊技機に備えられるガラス枠の電飾表示部が一斉に所定時間だけ消灯するため、この消灯動作によって大当たりの発生を周囲に報知することができる。また、消灯動作中の弾球遊技機に大当たりが発生すると、その大当たりに伴う図柄変動表示部の変動停止時間に消灯時間が加算されるため、２台以上の弾球遊技機に続けざまに大当たりが発生した場合でも、大当たりを獲得した遊技者の全員に満足度の高い優越感を付与することができる。
【発明を実施するための最良の形態】
【００１０】
発明の実施の形態について図面を参照して説明すると、図１は本発明の実施形態例に係る弾球遊技機の連動表示装置が適用された島設備の説明図、図２は該弾球遊技機の正面図、図３は該連動表示装置に備えられる制御ユニットのブロック図、図４は該制御ユニットにより実行される制御内容を示すフローチャート、図５は該制御ユニットによる図柄変動表示時間の加算動作を示すタイミングチャートである。
【００１１】
図１に示すように、本実施形態例に係る連動表示装置は、遊技場の島設備に横並びに配置された複数台のパチンコ機（弾球遊技機）１と、各パチンコ機１に伝送ケーブル等を介して接続された制御ユニット２とを備えており、各パチンコ機１と制御ユニット２との間で各種情報を伝送可能なネットワークが構築されている。なお、制御ユニット２には、１つの島設備または通路を挟んで対向する２つの島設備に配列された複数台のパチンコ機１が接続されており、そのうち３台のパチンコ機１が代表的に図１に示されている。また、図１に示された３台のパチンコ機１に左から順に符号１Ａ，１Ｂ，１Ｃを付してあり、以下の説明では、これらをパチンコ機１Ａ，パチンコ機１Ｂ，パチンコ機１Ｃと呼ぶこともある。
【００１２】
図２に示すように、前記パチンコ機１は、島設備に設置される機枠３と、機枠３に扉状に開閉自在に取り付けられた前面枠４と、前面枠４に収納保持された遊技盤５と、前面枠４の前面に扉状に開閉自在に取り付けられたガラス枠６と、前面枠４の下方に配設された前面ボード７と、前面ボード７に取り付けられた発射ハンドル８等を具備している。ガラス枠６の周囲には電飾表示部である複数の発光ランプ９が収納されており、これら発光ランプ９はパチンコ機１の電源投入時に点灯するようになっている。
【００１３】
遊技盤５はガイドレール１０等で囲まれた遊技領域１１を有しており、遊技者によって発射ハンドル８が回転操作されると、図示せぬ発射装置から遊技領域１１に向けて遊技球が打ち出されるようになっている。遊技領域１１の中央付近には液晶パネル等からなる図柄変動表示部１２が配設されており、この図柄変動表示部１２には３個の図柄が横並びに表示されるようになっている。図柄変動表示部１２の下方には始動入賞口１３が配設されており、この始動入賞口１３に遊技球が入賞すると、大当たりか否かを決定する抽選が行われると共に、その抽選結果に応じて図柄変動表示部１２上の図柄の変動表示が開始される。その他、遊技領域１１には、遊技球の払い出しのみを行う複数の一般入賞口２０や、一般入賞口２０に比べて多くの賞球を払い出す大入賞口１６等が配設されており、いずれの入賞口にも入賞しなかった遊技球は遊技領域１１の最下端部に設けられたアウト口２１から遊技盤５の裏面側に排出されるようになっている。なお、図１に示すように、遊技盤５の裏面側にはメイン基板１４とサブ基板１５が設けられており、メイン基板１４に搭載された図示せぬＣＰＵは、遊技球の始動入賞口１３への入賞を契機に上記抽選を実行すると共に、サブ基板１５に抽選結果に応じた制御信号を送出する。そして、かかる抽選で大当たりに当選すると、図柄変動表示部１２上の図柄が任意の図柄変動パターンをもって所望の変動表示時間だけ可変表示された後に例えば「７７７」のような特定の図柄で停止表示され、パチンコ機１は通常遊技状態から大当たり遊技状態へと移行する。この大当たり遊技状態では、通常遊技状態で閉塞されていた大入賞口１６が例えば１５回開放動作され、大入賞口１６は１回の開放について例えば３０秒経過するまで、あるいは遊技球が例えば１０個入賞するまで開放状態を維持する。
【００１４】
図３に示すように、制御ユニット２は、各パチンコ機１のメイン基板１４から遊技状態情報信号Ｓ１を取り込む入力部１７と、この遊技状態情報信号Ｓ１に基づいて各種信号処理等を実行する演算部１８と、この演算部１８で決定された消灯信号Ｓ２や遅延信号Ｓ３を各パチンコ機１のサブ基板１５に対して出力する出力部１９とを備えている。遊技状態情報信号Ｓ１は大当たり判定信号とそれに伴う図柄変動パターンの変動表示時間を含んでおり、このような遊技状態情報信号Ｓ１が任意のパチンコ機１から入力されると、演算部１８は消灯信号Ｓ２を出力すべきパチンコ機１とその出力タイミングを決定し、任意のパチンコ機１が大当たり遊技状態となった時点で残りのパチンコ機１に対して消灯信号Ｓ２を出力する。
【００１５】
すなわち、図４のフローチャートに示すように、通常遊技状態で任意の１台、例えば図１の左端側のパチンコ機１Ａが大当たりに当選すると（Ｓ−１）、このパチンコ機１Ａのメイン基板１４から出力される遊技状態情報信号Ｓ１に基づいて、制御ユニット２から図１の中央と右端側のパチンコ機１Ｂ，１Ｃを含む残り全てのパチンコ機１に対して消灯信号Ｓ２が出力される（Ｓ−２）。このように制御ユニット２から特定のパチンコ機１Ｂ，１Ｃに対して消灯信号Ｓ２が出力されると、そのパチンコ機１Ｂ，１Ｃに備えられるガラス枠６の発光ランプ９が所定時間Ｔ（例えば１０秒）だけ消灯する。したがって、制御ユニット２に接続された複数台のパチンコ機１Ａ，１Ｂ，１Ｃのうち、１台のパチンコ機１Ａが大当たり遊技状態になると、残りのパチンコ機１Ｂ，１Ｃに備えられるガラス枠６の発光ランプ９が一斉に所定時間Ｔだけ消灯し、この消灯動作によって大当たりの発生が周囲に報知される。
【００１６】
また、大当たりに当選したパチンコ機１Ａを除く他のパチンコ機１Ｂ，１Ｃの消灯動作が終了する前に、消灯制御されたパチンコ機１Ｂ，１Ｃのうち任意の１台、例えばパチンコ機１Ｂが大当たりに当選すると（Ｓ−３）、このパチンコ機１Ｂのメイン基板１４から出力される遊技状態情報信号Ｓ１に基づいて、制御ユニット２から当該パチンコ機１Ｂのサブ基板１５に対して図柄変動表示時間を延長させる遅延信号Ｓ３が出力される（Ｓ−４）。このように制御ユニット２からパチンコ機１Ｂに対して遅延信号Ｓ３が出力されると、そのパチンコ機１Ｂの図柄変動表示部１２に可変表示される図柄変動パターンの変動表示時間が消灯動作に要する時間（消灯時間Ｔ）だけ加算され（Ｓ−５）、この消灯時間Ｔに相当する分だけ延長してから変動停止されるため（Ｓ−６）、当該パチンコ機１Ｂが大当たり遊技状態となるのは最初に大当たりに当選したパチンコ機１Ａに伴う消灯動作の終了後となる。
【００１７】
かかる変動表示時間の加算動作について詳細に説明すると、図５のタイミングチャートに示すように、最初に大当たりに当選したパチンコ機１Ａの図柄変動パターンが変動開始してから変動停止する間に、消灯制御されたパチンコ機１Ｂが大当たりに当選すると、パチンコ機１Ｂのメイン基板１４の制御信号で決定された本来の図柄変動パターンが変動停止する直前に、制御ユニット２から出力される遅延信号Ｓ３によって特定の図柄パターンが消灯時間Ｔだけ追加表示される。かかる特定の図柄パターンとしては、例えば任意の図柄を予め決められた表示パターンで可変表示したり、大当たりを報知する文字等を固定表示することが可能であり、このような図柄パターンが消灯時間Ｔだけ追加表示されることにより、パチンコ機１Ｂの大当たり当選に伴う図柄変動表示部１２の変動表示時間が消灯時間Ｔに相当する分だけ延長される。なお、パチンコ機１Ａの図柄変動パターンの変動停止後に行われる消灯動作中にパチンコ機１Ｂが大当たりに当選した場合も、同様にして、パチンコ機１Ｂの大当たり当選に伴う図柄変動表示部１２の変動表示時間が消灯時間Ｔに相当する分だけ延長される。したがって、２台以上のパチンコ機１Ａ，１Ｂが続けざまに大当たりに当選した場合でも、それぞれの大当たりに伴うガラス枠６の消灯動作を互いに重なり合うことなく独立して行わせることができ、大当たりを獲得した遊技者の全員に満足度の高い優越感を付与することができる。
【００１８】
以上説明したように、本実施形態例に係る連動表示装置では、遊技場の島設備に表示制御手段としての制御ユニット２が設けられ、この制御ユニット２に対して島設備に横並びに配置された複数台のパチンコ機１から遊技状態情報信号Ｓ１が出力されると共に、制御ユニット２から各パチンコ機１に対してガラス枠６の発光ランプ９を消灯制御する消灯信号Ｓ２と図柄変動表示部１２の変動表示時間を延長する遅延信号Ｓ３とが選択的に出力されるように構成されており、任意台のパチンコ機１が大当たり遊技状態になると、それ以外のパチンコ機１に備えられるガラス枠６の発光ランプ９を一斉に所定時間Ｔだけ消灯させることができるため、この消灯動作によって大当たりの発生を周囲に報知することができる。また、消灯制御中のパチンコ機１の中に大当たりが発生すると、その大当たりに伴う図柄変動表示部１２の変動停止時間に消灯時間Ｔが加算されてから変動停止するようになっているため、消灯制御されたパチンコ機１が大当たり遊技状態となるのは先の大当たりに伴う消灯動作の終了後となる。したがって、２台以上のパチンコ機１に続けざまに大当たりが発生した場合でも、それぞれの大当たりに伴うガラス枠６の消灯動作を互いに重なり合うことなく独立して行わせることができ、大当たりを獲得した遊技者の全員に満足度の高い優越感を付与することができる。
【００１９】
なお、上記実施形態例では、制御ユニット２から出力される消灯信号Ｓ２によってガラス枠６の発光ランプ９を消灯動作するようにしているが、ガラス枠６以外の前面ボード７等にも電飾表示部が設けられている場合は、その電飾表示部をガラス枠６の発光ランプ９と同時に消灯動作させることが好ましい。また、任意台のパチンコ機１が大当たり遊技状態となったときに、当該パチンコ機１に備えられるガラス枠６の電飾表示部を煌びやかで目立つ発光パターンで動作させるようにしても良く、このようにすると、他台の電飾表示部の消灯動作と相俟って、大当たりの発生を周囲により効果的に報知することができる。
【図面の簡単な説明】
【００２０】
【図１】本発明の実施形態例に係る弾球遊技機の連動表示装置が適用された島設備の説明図である。
【図２】該弾球遊技機の正面図である。
【図３】該連動表示装置に備えられる制御ユニットのブロック図である。
【図４】該制御ユニットにより実行される制御内容を示すフローチャートである。
【図５】該制御ユニットによる図柄変動表示時間の加算動作を示すタイミングチャートである。
【符号の説明】
【００２１】
１，１Ａ，１Ｂ，１Ｃ  パチンコ機
２  制御ユニット（表示制御手段）
５  遊技盤
６  ガラス枠
７  前面ボード
８  発射ハンドル
９  発光ランプ（電飾表示部）
１１  遊技領域
１２  図柄変動表示部
１３  始動入賞口
１４  メイン基板
１５  サブ基板
１６  大入賞口
１７  入力部
１８  演算部
１９  出力部
Ｓ１  遊技状態情報信号
Ｓ２  消灯信号
Ｓ３  遅延信号
【図１】
2009254621.tif 000003
【図２】
2009254621.tif 000004
【図３】
2009254621.tif 000005
【図４】
2009254621.tif 000006
【図５】
2009254621.tif 000007